(57)【特許請求の範囲】
【請求項１】
所定長さの保持部を有する燃焼用具と、
この燃焼用具の保持部の長さの複数分の１の長さを有し、相互の対向端を接触させて軸方向に複数本ならべて上記燃焼用具の保持部に保持する単位線香とからなる
ことを特徴とする線香。
【請求項２】
燃焼用具の保持部を棒状にし、この保持部に中空の単位線香を挿入することを特徴とする請求項１記載の線香。
【請求項３】
燃焼用具の保持部を籠筒状にし、この保持部に棒状の単位線香を挿入することを特徴とする請求項１記載の線香。
【請求項４】
燃焼用具の保持部を支持部と一体にして設け、この支持部に、先鋭部、吊り下げ部、平面部に載置するための載置部のいずれかを設けたことを特徴とする請求項１から請求項３のいずれか１項記載の線香。
【請求項５】
支持部に複数の保持部を設けたことを特徴とする請求項４記載の線香。
【発明の詳細な説明】
【０００１】
【発明の属する技術分野】
本発明は、棒状の単位線香を燃焼用具の保持部に複数本軸方向にならべて保持して燃焼させるようにした線香、更に詳しくは、燃焼時間、または、燻蒸量を自由にコントロールすることができる線香に関するものである。
【０００２】
【従来の技術】
周知のように、蚊取線香は電気蚊取器の出現により室内での使用が減少しつつあるが、手軽にどこでも簡単に使用できることから現在もなお重宝がられている。また、最近レジャーブーム、園芸ブーム、ペットブームにより、屋外での使用場面が増えつつある。
【０００３】
このような状況下でこの簡便に使用できる蚊取線香が、これの燃焼時間、または燻蒸量を自由にコントロールできれば、さらに用途範囲が広がると考えられる。
【０００４】
上記蚊取線香にあっては、その代表的なものとして、金属製板からなる線香立てに保持して燃焼させるか、通称「かやりぶた」と呼ばれる陶器製の中空容器内に置いて燃焼させたり、またグラスウール製のマットを敷いた燃焼皿容器内に静置して燃焼させるものが知られている。
【０００５】
ところが、このように燃焼させる蚊取線香は一般に渦巻状になっていて、一度着火すると最後まで、約７時間にわたって連続して燃焼するように形成されている。従って、所要時間経過後の不必要な場合には、線香の途中で燃えている部分を折り取るか、水をかけて火を消している。一方、長時間の連続使用が必要な場合では、補充のタイミングを見計らって新しい線香に火をつけなければならない。
【０００６】
また、これらの不便さを解決する手段としては、実公昭４３−７２００号公報に、渦巻状にした線香の中央に他の線香の先端が入る穴を設け、この穴に他の線香の曲げた先端を係合して１つの線香に他の線香を連続的に燃焼するように連結できるようにした構成が示されている。
【０００７】
更に、実開平２−５７３８５号公報に、上側線香受棚と下側線香受棚からなる燻焼器で、線香を上下受棚に静置し、上側線香の燻焼後に生じる火種を下方に落下させて下側線香に着火させ、連続燃焼できるようにした構成が示されている。
【０００８】
【発明が解決しようとする課題】
上記した従来の線香は、いずれも渦巻型線香で、かつ屋内用として考案されたものであり、どうしても台上において用いることになり、設置場所に制限があり、まして、風にさらされること、不安定な設置面等のため、外的要因が加わる屋外での使用に不便があった。更に、広い屋外で効力を早く得るためには複数個の線香及び燃焼用具を準備する手間もかかわり、非常に面倒であった。
【０００９】
また、上記した燃焼を継続する従来技術のもので、実公昭４３−７２００号公報に示されたものは、線香形状から流通過程で欠損する恐れや、使用時での燃えかすの落下による火災の発生の心配がある。一方燃焼を継続する点においても、差し込みやその設置を慎重に扱わないと、はずれ、折れの恐れがある。
【００１０】
実開平２−５７３８５号公報に示されたものは、燻焼器の製造原価が高いこと、取扱いが煩雑で手間がかかるものであった。一方、燃焼を継続する点においても、燻焼器を慎重に扱わないとずれる恐れがある。
【００１１】
このように上記従来の技術のいずれの場合も使用場面でトラブルの発生が予想され、実用的とはいい難い。
【００１２】
本発明は上記のことに鑑みなされたもので、単位線香を堅固に保持して燃焼できるようにし、どの様な場所、例えば屋外においても安定した状態で使用でき、しかも使用目的に応じて燃焼時間を、短時間、長時間とコントロールができるようにし、また、使用場所に応じて時間当たりの燃焼量をコントロールできるようにした線香を提供することを目的とするものである。
【００１３】
【課題を解決するための手段】
上記目的を達成するために、本発明に係る線香は、所定長さの保持部を有する燃焼用具と、この燃焼用具の保持部の長さの複数分の１の長さを有し、相互の対向端を接触させて軸方向に複数本ならべて上記燃焼用具の保持部に保持する単位線香とからなる構成になっている。
【００１４】
そして上記線香において、燃焼用具の保持部を棒状にし、この保持部に中空の単位線香を挿入するようにし、また燃焼用具の保持部を籠筒状にし、この保持部に棒状の単位線香を挿入するようにした。
また、上記燃焼用具の保持部を支持部と一体にして設け、この支持部に、先鋭部、吊り下げ部、平面部に載置するための載置部のいずれかを設け、さらに上記支持部に複数の保持部を設けた構成になっている。
【００１５】
【作用】
単位線香は燃焼用具の保持部に保持されて燃焼される。そして保持部が棒状である場合には、これに中空にした単位線香を挿入して用い、また、籠筒状である場合には、これに中空の棒状を含む棒状の単位線香を挿入して用いる。このとき、各保持部には軸方向にならべて複数本の線香が相互の対向端が接触されて保持される。
【００１６】
線香の燃焼用具は支持部に設けた先鋭部を地面等に突き刺し、または吊り下げ部を木の枝等に引っかけ、または載置部を地面等に載置して用いる。
また、支持部に複数の保持部を設けたものでは、各保持部に単位線香を保持してこれを同時に燃焼することができる。
【００１７】
そしてこの線香では、使用目的、及び使用場所に応じて、複数本の単位線香を連続して燃焼する等、燃焼時間が自由にコントロールできる。また、複数本の単位線香を同時に燃焼する等、時間当たりの燃焼量を自由にコントロールできる。
【００１８】
【発明の実施の形態】
本発明の実施の形態を図面に基づいて説明する。
図１の（ａ）〜（ｈ）に、本発明に係る線香に用いる単位線香の形態を示す。これらの単位線香１ａ，１ｂ，１ｃ，１ｄ，１ｅ，１ｆ，１ｇ，１ｈは単位長さを有する直線状の棒状になっていて、その断面形状は、（ａ）図に示した単位線香１ａは断面形状を角形にした棒状、（ｂ）図に示した単位線香１ｂは断面形状を円形にした棒状、（ｃ）図に示した単位線香１ｃは断面形状を円形にし、円形の穴を有する中空棒状、（ｄ）図に示した単位線香１ｄは断面形状を円形にし、三角形の穴を有する中空棒状、（ｅ）図に示した単位線香１ｅは十字状の穴を有する中空棒状、（ｆ）図に示した単位線香１ｆは側面に角溝を有する溝付き棒状、（ｇ）図に示した単位線香１ｇは側面に円弧状溝を２本（複数本）有する溝付き棒状、（ｈ）図に示した単位線香１ｈは円錐（角錐でもよい）台状にした棒状になっている。上記各穴及び溝は線香の全長にわたって設けられている。
【００１９】
図２、図３は図１に示した棒状の各単位線香１ａ〜１ｈを保持して燃焼させるため保持部を棒状と籠筒状にした各燃焼用具の例を示すものである。なお、この各図において、（ａ）図は燃焼用具を、（ｂ）図は各燃焼用具の保持部に単位長さを有する単位線香を軸方向に対向端を接触させて複数本ならべて保持した状態を示す。上記単位線香の長さは、図２、図３に示すように燃焼用具の保持部の長さの複数分の１となっている。
【００２０】
図２（ａ）に示す保持部を棒状にした燃焼用具２ａは、図１に示した中空棒状の単位長さを有する単位線香１ｃ，１ｄ，１ｅの穴に挿入する太さにした保持棒３と、この保持棒３と一体状に設けられ、かつ先鋭形状にした支持部４とからなっている。そして支持部４の上部は保持棒３より大径になっていて、図２（ｂ）に示したように、保持棒３に嵌合した上記単位線香１ｃ，１ｄ，１ｅの最下端がこれに当接して止まるようになっている。
【００２１】
この実施の形態では、各単位線香１ｃ，１ｄ，１ｅの穴に図２（ｂ）に示すように保持棒３を挿入して軸方向に対向端を接触させて複数本保持し、これの上端に着火して用いる。そしてこの燃焼用具２ａは先鋭にした支持部４を地面に突き刺して起立して用いる。
【００２２】
この実施の形態において、複数本挿入した単位線香の最下端と支持部材４との当接部分に空気の流通ができ、また、熱伝導が少ないことが好ましい。また、保持棒３と単位線香１ｃ〜１ｅの穴の内面との接触面積は、この部分での熱伝導を少なくするために、できるだけ小さい方がよく、かつ燃焼を促進するために、保持棒３と単位線香１ｃ〜１ｅの内面との接触部の形状は、この部分に空気が流れる形状が好ましい。その点、図１の（ｄ），（ｅ）に示すように、非円形の穴に、円形の保持棒３を挿入して用いることにより上記条件を満たすことができる。
【００２３】
図３（ａ）に示す保持部を籠筒状にした燃焼用具２ｂは、図１に示した棒状の単位長さを有する各単位線香１ａ〜１ｈが図３（ｂ）に示したように挿入される空間を囲繞する複数本の棒部材にて籠筒状に形成された保持籠５と、この保持籠５と一体状に設けられ、かつ先鋭形状にした支持部４とからなっている。
【００２４】
この実施の形態では、各単位線香１ａ〜１ｈは図３（ｂ）に示すように、保持籠５内に挿入して軸方向に対向端を接触させて複数本保持し、これの上端に着火して用いる。このとき、最上部の単位線香の上端が保持籠５内に入ってしまう場合には、これに着火してから保持籠５内に挿入する。またこの燃焼用具２ｂも同様に、支持部４を地面に突き刺して起立して用いる。
【００２５】
この実施の形態において、各単位線香１ａ〜１ｈの外周を保持する保持面での熱伝導を少なくするために、単位線香外面との接触面積をできるだけ小さくすることが好ましい。また各単位線香１ａ〜１ｈの最下端と支持部４との当接部分の形状は、この部分に空気の流通ができ、また、熱伝導が少ない形状であることが好ましい。
【００２６】
なお、図３に示した実施の形態の燃焼用具２ｂの保持籠５の中空部中心に、各線香の穴に挿入される保持棒を設けてもよい。この場合、単位線香は穴部と外周部の双方で保持されることになる。
【００２７】
図４（ａ）〜（ｆ）は上記図２で示した棒状の燃焼用具２ａにおける保持棒３の変形例である。（ａ）図に示す保持棒３ａは板状の断面形状に、（ｂ）図に示す保持棒３ｂは十文字状の断面形状に、（ｃ）図に示す保持棒３ｃは複数の棒部材を立設した形状に、（ｄ）図に示す保持棒３ｄは３角形に断面形状に、（ｅ）図に示す保持棒３ｅは中空の断面形状に、（ｆ）図に示す保持棒３ｆは細い板材を折り曲げた形状に、それぞれ作られている。
【００２８】
この各変形例における保持棒３ａ〜３ｆを棒状の単位長さを有する単位線香１ｃ，１ｄ，１ｅの穴に挿入して用いる。
【００２９】
図５（ａ）〜（ｄ）は上記図３で示した籠筒状の燃焼用具２ｂにおける保持籠５の変形例である。（ａ）図に示す保持籠５ａは内面に突条６を円周方向に複数本長手方向の全長に設けた筒になっていて、これの下端部に通気口７が設けてある。この場合、単位線香は突条６でかこまれた中空内に挿入する。
【００３０】
（ｂ）図に示す保持籠５ｂは、上端部を筒状にし、この筒状部と先鋭にした支持部４との間の部分が籠状になっている。（ｃ）図に示す保持籠５ｃは、複数本の棒部材の途中をリング部材８で補強した構成になっている。（ｄ）図に示す保護籠５ｄは直径方向に係脱可能に２分割できるようになっている。
【００３１】
この各変形例の保持籠５ａ〜５ｄ内に棒状の単位長さを有する単位線香を軸方向に対向端を接触させて複数本挿入し、その最上側の単位線香の上端に着火する。この場合も、上記したように、最上部の単位線香の上端が保持籠５ａ〜５ｄ内に入ってしまうようであれば、最上側の単位線香はこれに着火してから挿入する。
【００３２】
図６（ａ）〜（ｃ）は何かに引っかけて吊り下げて用いるようにした燃焼用具９ａ，９ｂ，９ｃを示す。（ａ）図に示す燃焼用具９ａは保持籠１０ａの上端に引っかけ穴１１を有する吊り板１２を固着した構成に、（ｂ）図に示す燃焼用具９ｂは保持籠１０ｂの上端に引っかけ具１３を固着した構成に、さらに（ｃ）図に示す燃焼用具９ｃは保持棒１０ｃの下端を、引っかけ穴１１を有する吊り板１２ａに固着した構成になっている。なお上記各保持籠１０ａ，１０ｂは有底となっている。
【００３３】
図７は置き型の燃焼用具１４を示す。これは上方を開放した筒状に形成した置き台１５に保持棒１６を立設した構成となっている。
【００３４】
上記のように、保持棒あるいは保持籠に単位長さを有する単位線香を保持してその上端から燃焼するものにあっては、燃焼時間を、保持部に挿入する単位線香の本数によって任意にとることができる。
【００３５】
図８〜図１１は他の実施の形態の燃焼用具１７ａ〜１７ｄを示す。図８に示す燃焼用具１７ａは、上端にフック１８を有する棒部材１９に多数本のローソク立て状の立て芯２０，２０…が枝分かれ状にして上向きに設けてあり、各立て芯に中空の棒状の単位線香１ｃ〜１ｅを立てるようになっている。
【００３６】
図９に示す燃焼用具１７ｂは、地面に突き刺し可能にした支持部２１に複数本の保持棒２２が枝分かれ状に上向きに設けてあり、各保持棒２２に中空の棒状の単位線香１ｃ〜１ｅを挿入するようになっている。
【００３７】
図１０に示す燃焼用具１７ｃは、地面に置かれる基台２３に枝分かれ状の複数本の立て芯２４が上向きに設けてあり、この各立て芯２４に中空の棒状の単位線香１ｃ〜１ｅを挿入するようにしている。
【００３８】
この図８〜図１０に示した実施の形態におけるフック１８、支持部材２１及び基台２３と各棒部材１９、保持棒２２、立て芯２４とは一体構成のほかに、ねじ嵌め、差し込み等にて固定するようしても良い。
【００３９】
図１１に示す燃焼用具１７ｄは、添え木２５等にて支持されて自立する支持板２６の側面に複数本の保持棒２７を上方へ向けて設けてあり、この各保持棒２７に単位線香１ｃ〜１ｅを挿入するようになっている。
【００４０】
この実施の形態に係る線香では、複数本の単位線香を同時に燃焼することができ、これにより、１つの燃焼用具でもって大量の煙を出すことができ、広い空間、特に野外においての使用に有効である。
【００４１】
また、図８〜図１１に示した実施の形態において、燃焼用具の棒部材の代りに籠筒状の保持部材を用いてもよい。
【００４２】
上記した各実施の形態における燃焼用具の保持部を構成する材料は不燃焼性であれば材質は問わないが、単位線香の燃焼の阻害とならないために、比熱が小さいもの、例えば耐熱性のプラスチックやセラミックスが適当である。
【００４３】
なお本発明に係る線香にて燃焼される単位線香は、蚊取線香のみならず、不快害虫の殺虫、害虫忌避、芳香、消臭、防腐、防カビ等に用いる線香にも当然に適用することができる。また本発明は上記した各実施の形態に限定されるものではないことはいうまでもない。
【００４４】
【発明の効果】
本発明によれば、野外において、安定した状態で、かつ小さなスペースでもって複数の単位長さを有する単位線香を軸方向にならべて保持して燃焼することができる。また使用目的に応じて線香の燃焼時間を自由にコントロールすることができ、使用場所に応じて線香の時間当たりの燃焼量をコントロールすることができる。
【図面の簡単な説明】
【図１】  （ａ），（ｂ），（ｃ），（ｄ），（ｅ），（ｆ），（ｇ），（ｈ）は本発明に用いる単位線香の例を示す斜視図である。
【図２】  （ａ）は保持部を棒状にした燃焼用具を示す斜視図、（ｂ）はその使用状態を示す斜視図である。
【図３】  （ａ）は保持部を籠筒状にした燃焼用具を示す斜視図、（ｂ）はその使用状態を示す斜視図である。
【図４】  （ａ），（ｂ），（ｃ），（ｄ），（ｅ），（ｆ）は保持部を棒状にした燃焼用具の他例を示す斜視図である。
【図５】  （ａ），（ｂ），（ｃ），（ｄ）は保持部を籠筒状にした燃焼用具の他例を示す斜視図である。
【図６】  （ａ），（ｂ），（ｃ）は吊り下げ部を有する燃焼用具の例を示す斜視図である。
【図７】  載置台を有する燃焼用具の例を示す斜視図である。
【図８】  他の実施形態の燃焼用具を示す斜視図である。
【図９】  他の実施形態の燃焼用具の他例を示す斜視図である。
【図１０】  他の実施形態の燃焼用具の他例を示す斜視図である。
【図１１】  他の実施形態の燃焼用具の他例を示す斜視図である。
【符号の説明】
１ａ，１ｂ，１ｃ，１ｄ，１ｅ，１ｆ，１ｇ，１ｈ…単位線香、２ａ，２ｂ，９ａ，９ｂ，９ｃ，１４，１７ａ，１７ｂ，１７ｃ，１７ｄ…燃焼用具、３，３ａ，３ｂ，３ｃ，３ｄ，３ｅ，３ｆ，１０ｃ，１６，２２，２７…保持棒、４，２１…支持部、５，５ａ，５ｂ，５ｃ，５ｄ，１０ａ，１０ｂ…保持籠、６…突条、７…通気口、８…リング部材、１１…引っかけ穴、１２，１２ａ…吊り板、１３…引っかけ具、１５…置き台、１８…フック、１９…棒部材、２０，２４…立て芯、２３…基台、２５…添え木、２６…支持板。
【図１】
0004341730.tif 000002
【図２】
0004341730.tif 000003
【図３】
0004341730.tif 000004
【図４】
0004341730.tif 000005
【図５】
0004341730.tif 000006
【図６】
0004341730.tif 000007
【図７】
0004341730.tif 000008
【図８】
0004341730.tif 000009
【図９】
0004341730.tif 000010
【図１０】
0004341730.tif 000011
【図１１】
0004341730.tif 000012